(57)【要約】【課題】従来の光ピックアップ装置では、複数の光路が設定され、光学系部品の数が多くなり、その取り付け作業や光軸調整等に時間を要するという問題があった。【解決手段】本発明の光ピックアップ装置１では、第１の半導体レーザー装置２から出射されるレーザー光の光路２１と第２の半導体レーザー装置３から出射されるレーザー光の光路２０の大部分が共通化される。そして、光ディスク１７から反射したレーザー光（戻り光）は、共通のＰＤＩＣ１９にて受光され、光検出器として正確な受光処理が行われる。この構造により、光ピックアップ装置１に配置される光学系部品の数が低減し、その取り付け作業が容易になり、光軸調整等に要する時間が短縮され、作業効率が大幅に改善される。【選択図】図１
2012064260.tif 000002
【特許請求の範囲】
【請求項１】
第１の波長を有する第１のレーザー光を出射する第１の出射素子と、
前記第１の波長と異なる第２の波長を有する第２のレーザー光を出射する第２の出射素子と、
前記第１のレーザー光を光情報記録媒体へと導く往路と、前記光情報記録媒体から反射した前記第１のレーザー光を受光素子へと導く復路とを有する第１の光路と、
前記第２のレーザー光を前記光情報記録媒体へと導く往路と、前記光情報記録媒体から反射した前記第２のレーザー光を前記受光素子へと導く復路とを有する第２の光路と、
前記第２の光路の復路上に前記第２のレーザー光の一部を漏洩させる光学素子とを有し、
前記受光素子の同一の受光領域により前記第１のレーザー光及び前記第２のレーザー光を受光し、光電変換により検出信号を出力することを特徴とする光ピックアップ装置。
【請求項２】
前記光学素子は、前記第１及び第２の光路の共通な光路上に光路を屈折する反射ミラーにより構成され、前記反射ミラーには、前記第２のレーザー光に対する反射率を調整する反射膜が形成され、前記反射ミラーにより前記受光素子に導かれる前記第２のレーザー光の光量を調整することを特徴とする請求項１に記載の光ピックアップ装置。
【請求項３】
前記反射ミラーは、前記第２の光路の往路では前記第２のレーザー光を全反射し、前記第２の光路の復路では前記第２のレーザー光を一部透過させて一定の割合にて反射させることを特徴とする請求項２に記載の光ピックアップ装置。
【請求項４】
前記第１のレーザー光を反射または透過し、前記第１の光路の往復路を分離する第１の偏光部材と、前記第２のレーザー光を反射または透過し、前記第２の光路の往復路を分離する第２の偏光部材とを有し、
少なくとも前記第１及び第２の偏光部材、前記反射ミラー及び前記受光素子は、前記第１及び第２の光路の共通な光路上に配置され、
前記第１の偏光部材は、第１の光路合成プリズムであり、前記第２の偏光部材は、第２の光路合成プリズムであり、
前記第１の光路合成プリズムは、前記第２の光路合成プリズムよりも前記受光素子側に配置され、
前記第２のレーザー光は、前記反射ミラーの反射膜及び前記第２の光路合成プリズムに設定された反射膜に応じてそれぞれ透過または反射することで、前記受光素子へと導かれる光量が調整されることを特徴とすることを特徴とする請求項２または請求項３に記載の光ピックアップ装置。
【請求項５】
前記第１のレーザー光は、ＢＤ規格のレーザー光であり、前記第２のレーザー光は、ＤＶＤ規格またはＣＤ規格のレーザー光であることを特徴とする請求項２から請求項４のいずれか１項に記載の光ピックアップ装置。
【発明の詳細な説明】
【技術分野】
【０００１】
本発明は、複数種類の波長の光を用いて記録及び／または再生を行う光ピックアップ装置に関する。
【背景技術】
【０００２】
従来の光ピックアップ装置の一実施例として、図３に示す構造が知られている。尚、図３（Ａ）は、光ピックアップ装置の光学系の側面図を示し、図３（Ｂ）は、光ピックアップ装置の光学系の平面図を示す。
【０００３】
図示の如く、光ピックアップ装置３１は、光ビームを出射する第１、第２の光源３２Ａ、３２Ｂと、出射された光ビームを光ディスク４２に導き、光ディスク４２からの反射光を第１、第２の受光素子（ＰＤＩＣ）３３Ａ、３３Ｂに導く第１、第２の光学系３４Ａ、３４Ｂとを有する。
【０００４】
具体的には、第１の光源３２Ａは、ＣＤ、ＤＶＤ用の光ビームを出射し、第２の光源３２Ｂは、ＢＤ用の光ビームを出射する。それぞれの第１、第２の光源３２Ａ、３２Ｂから出射された光ビームは、それぞれ第１、第２の光学系３４Ａ、３４Ｂの光路上を進行する。そして、第１、第２の光学系３４Ａ、３４Ｂは、例えば、第１、第２の偏光ビームスプリッタ３５Ａ、３５Ｂ、第１、第２のコリメータレンズ３６Ａ、３６Ｂ、立ち上げミラー３７、第１、第２の１／４波長板３８Ａ、３８Ｂ、第１、第２の対物レンズ３９Ａ、３９Ｂ、第１、第２のＨＯＥ（Ｈｏｌｏｇｒａｐｈｉｃ  Ｏｐｔｉｃａｌ  Ｅｌｅｍｅｎｔ）素子４０Ａ、４０Ｂ、第１、第２のＰＤＩＣ３３Ａ、３３Ｂ、第１、第２のフロントモニターダイオード４１Ａ、４１Ｂ等から構成される（例えば、特許文献１参照。）。
【先行技術文献】
【特許文献】
【０００５】
【特許文献１】特開２００９−３２３０４号公報（第７−９頁、第１−２図）
【発明の概要】
【発明が解決しようとする課題】
【０００６】
前述したように、従来の光ピックアップ装置３１では、第１の光源３２Ａから出射した光ビームは、第１の光学系３４Ａの光路を通り光ディスク４２に入射し、光ディスク４２にて反射した光ビームは、同様に、第１の光学系３４Ａの光路を通り第１のＰＤＩＣ３３Ａへと入射する。一方、第２の光源３２Ｂから出射した光ビームは、第２の光学系３４Ｂの光路を通り光ディスク４２に入射し、光ディスク４２にて反射した光ビームは、同様に、第２の光学系３４Ｂの光路を通り第２のＰＤＩＣ３３Ｂへと入射する。
【０００７】
つまり、第１の光学系３４Ａの光路と第２の光学系３４Ｂの光路が異なることで、光ピックアップ装置３１内に配置される光学系部品の数が多くなり、その取り付け作業や光軸調整等に時間を要するという問題がある。また、光学系３４Ａ、３４Ｂの光路が異なることで、それぞれの光学系３４Ａ、３４Ｂ毎に光学系部品が必要となり、また、光路の確保も必要となり、光ピックアップ装置３１の小型化が実現し難いという問題がある。
【課題を解決するための手段】
【０００８】
前述した各事情に鑑みて成されたものであり、本発明の光ピックアップ装置では、第１の波長を有する第１のレーザー光を出射する第１の出射素子と、前記第１の波長と異なる第２の波長を有する第２のレーザー光を出射する第２の出射素子と、前記第１のレーザー光を光情報記録媒体へと導く往路と、前記光情報記録媒体から反射した前記第１のレーザー光を受光素子へと導く復路とを有する第１の光路と、前記第２のレーザー光を前記光情報記録媒体へと導く往路と、前記光情報記録媒体から反射した前記第２のレーザー光を前記受光素子へと導く復路とを有する第２の光路と、前記第２の光路の復路上に前記第２のレーザー光の一部を漏洩させる光学素子とを有し、前記受光素子の同一の受光領域により前記第１のレーザー光及び前記第２のレーザー光を受光し、光電変換により検出信号を出力することを特徴とする。
【発明の効果】
【０００９】
本発明では、第２のレーザー光の一部が、光学素子により光路から漏洩することで、光情報記録媒体から反射する第１及び第２のレーザー光の光量比が所望の割合に調整される。この構造により、共通の受光素子にて第１及び第２のレーザー光を受光することができ、光ピックアップ装置に配置される光学系部品の数が低減し、その取り付け作業が容易となる。
【００１０】
また、本発明では、第１の光路と第２の光路の共通部分に配置された反射ミラーに第２のレーザー光の光量比が調整される反射膜が形成されることで、光路の一部の共通化が実現される。
【００１１】
また、本発明では、第１の光路と第２の光路の一部が共通化することで、光軸調整等に要する時間が短縮され、また、光ピックアップ装置の小型化が実現される。
【００１２】
また、本発明では、第２のレーザー光は、第２の光路合成プリズムと反射ミラーとによりその反射率及び透過率が調整され、光路の一部の共通化が実現される。
【００１３】
また、本発明では、ＢＤ規格のレーザー光の光路長が、ＤＶＤ規格及びＣＤ規格のレーザー光の光路長よりも長くなることで、ＢＤ規格のレーザー光の収差調整が精度良く行われる。
【図面の簡単な説明】
【００１４】
【図１】本発明の実施の形態における光ピックアップ装置の光学系を説明する概略図である。
【図２】本発明の実施の形態における（Ａ）光ピックアップ装置の光学系を説明する概略図、（Ｂ）光ピックアップ装置に用いる反射膜特性を説明する図である。
【図３】従来の実施の形態における光ピックアップ装置の光学系を説明する概略図である。
【発明を実施するための形態】
【００１５】
以下に、本発明の一実施の形態である光ピックアップ装置について説明する。図１は、光ピックアップ装置の光学系を説明する概略図である。図２（Ａ）は、光ピックアップ装置の光学系の部品配置を説明する概略図であり、図２（Ｂ）光ピックアップ装置に用いる反射膜特性を説明する図である。
【００１６】
図１に示す如く、光ピックアップ装置１は、ＢＤ（Ｂｌｕ−ｒａｙ  Ｄｉｓｃ）、ＤＶＤ（Ｄｉｇｉｔａｌ  Ｖｅｒｓａｔｉｌｅ  Ｄｉｓｋ）またはＣＤ（Ｃｏｍｐａｃｔ  Ｄｉｓｋ）規格のレーザー光を、光ディスク（光情報記録媒体）の情報記録層に集光させ、この情報記録層からの反射光を受光して電気信号に変換する機能を備えている。
【００１７】
先ず、第１の半導体レーザー装置２は、ＢＤ規格の波長（青紫色（青色）波長帯４００ｎｍ〜４２０ｎｍ（例えば４０５ｎｍ））のレーザー光を出射する。第２の半導体レーザー装置３は、ＤＶＤ規格の波長（赤色波長帯６４５ｎｍ〜６７５ｎｍ（例えば、６５５ｎｍ））のレーザー光及びＣＤ規格の波長（赤外波長帯７６５ｎｍ〜８０５ｎｍ（例えば、７８５ｎｍ））のレーザー光を出射する。尚、第１及び第２の半導体レーザー装置２、３は、ＣＡＮタイプ型のパッケージの場合でも良く、リードフレーム型のパッケージの場合でも良い。
【００１８】
次に、第１の回折格子４は、第１の半導体レーザー装置２と第１の光路合成プリズム５との間に配置され、ＢＤ規格のレーザー光が入射する。そして、第１の回折格子４は、入射するレーザー光を０次光、＋１次回折光、−１次回折光に分離する回折格子と、入射するレーザー光を第１の光路合成プリズム５の偏光面に対してＳ方向の直線偏光に変換する１／２波長板とから構成される。同様に、第２の回折格子６は、第２の半導体レーザー装置３と第２の光路合成プリズム８との間に配置され、回折格子と１／２波長板とから構成される。尚、第２の回折格子６では、入射するＤＶＤ規格及びＣＤ規格のレーザー光を第２の光路合成プリズム８の偏光面に対してＳ方向の直線偏光に変換する。
【００１９】
次に、ダイバージェントレンズ７は、第２の回折格子６と第２の光路合成プリズム８との間に配置され、第２の回折格子６で回折されたレーザー光の広がり角を調整する。
【００２０】
次に、第１の光路合成プリズム５は、波長選択性および偏光選択性を有する偏光面を内蔵し、ＢＤ規格のレーザー光には偏光ビームスプリッタとして機能し、ＤＶＤ規格及びＣＤ規格のレーザー光には、全透過プリズムとして機能する。具体的には、前述した偏光面には、例えば、後述する反射膜が形成されることで、Ｓ方向の直線偏光であるＢＤ規格のレーザー光は、その偏光面により紙面＋Ｘ方向に反射される。一方、光ディスク１７により反射されたＢＤ規格のレーザー光（戻り光）は、１／４波長板１２を通過することでＰ方向の直線偏光となり、この偏光面を紙面−Ｘ方向に透過する。
【００２１】
次に、第２の光路合成プリズム８は、波長選択性および偏光選択性を有する偏光面を内蔵し、ＤＶＤ規格及びＣＤ規格のレーザー光には偏光ビームスプリッタとして機能し、ＢＤ規格のレーザー光には、全透過プリズムとして機能する。具体的には、第２の光路合成プリズム８は、ＤＶＤ規格及びＣＤ規格のレーザー光の反射率を調整することで、ＰＤＩＣ１９へと導かれる第２のレーザー光の光量を調整する。そして、前述した偏光面には、例えば、後述する反射膜が形成されることで、Ｓ方向の直線偏光であるＤＶＤ規格及びＣＤ規格のレーザー光の大部分は、その偏光面により紙面＋Ｘ方向に反射される。一方、光ディスクにより反射されたＤＶＤ規格及びＣＤ規格のレーザー光（戻り光）は、１／４波長板１２を通過することでＰ方向の直線偏光となり、一定の割合にてこの偏光面を紙面−Ｘ方向に透過する。尚、第２の光路合成プリズム８に入射するＢＤ規格のレーザー光は、この偏光面を紙面±Ｘ方向に透過する。
【００２２】
次に、コリメートレンズ９は、ＢＤ規格、ＤＶＤ規格及びＣＤ規格のレーザー光を平行光に変換する。図示したように、光ピックアップ装置１では、１つのコリメートレンズ９により３種類のレーザー光に対応し、コリメートレンズ９は、点線にて示す光路（光軸）に対して平行方向（紙面±Ｘ方向）に移動する。そして、コリメートレンズ９は、それぞれの規格のレーザー光に応じて光学倍率を最適化することで、層間迷光や層間クロストークの発生を抑止する。
【００２３】
次に、第１の反射ミラー１０は、波長選択性および偏光選択性を有する。具体的には、例えば、第１の反射ミラー１０には、後述する反射膜が形成されることで、第１の反射ミラー１０は、ＤＶＤ規格及びＣＤ規格のレーザー光の反射率を調整することで、第２の光路合成プリズム８へと導かれる第２のレーザー光の光量を調整する。そして、光ディスク１７により反射されたＤＶＤ規格及びＣＤ規格のレーザー光（戻り光）は、反射膜特性に応じて、その一部が紙面−Ｘ方向に反射し、残りが紙面−Ｙ方向に透過する。尚、ＢＤ規格のレーザー光は、紙面Ｙ方向あるいは紙面−Ｘ方向に全反射する。
【００２４】
次に、第２の反射ミラー１１は、例えば、ＢＤ規格、ＤＶＤ規格及びＣＤ規格のレーザー光を紙面−Ｘ方向に全反射する。一方、光ディスク１７により反射されたそれらのレーザー光（戻り光）も、同様に、紙面−Ｙ方向に全反射する。
【００２５】
尚、以下の説明では、第１の反射ミラー１０に反射膜を形成し、第２の光路合成プリズム８と第１の反射ミラー１０により、ＤＶＤ規格及びＣＤ規格のレーザー光の反射率を調整し、ＰＤＩＣ１９へと導かれるその光量を調整する場合について記載するが、この場合に限定するものではない。例えば、第１の反射ミラー１０と第２の反射ミラー１１の役割を逆とし、第２の光路合成プリズム８と第２の反射ミラー１１により、ＤＶＤ規格及びＣＤ規格のレーザー光の反射率を調整し、ＰＤＩＣ１９へと導かれるその光量を調整する場合する場合でも良い。
【００２６】
次に、１／４波長板１２は、入射するレーザー光に位相差を生じさせ、ＢＤ規格、ＤＶＤ規格及びＣＤ規格のレーザー光は、Ｓ方向の直線偏光から円偏光へと変換される。一方、光ディスクにより反射されたそれらのレーザー光（戻り光）は、再び１／４波長板１２を通過すると、Ｐ方向の直線偏光のレーザー光に変換される。
【００２７】
次に、第２の立ち上げミラー１３は、波長選択性を有する反射面を備えており、ＤＶＤ規格及びＣＤ規格のレーザー光を紙面＋Ｙ方向に反射させ、ＢＤ規格のレーザー光を紙面−Ｘ方向に透過させる。一方、第１の立ち上げミラー１４は、第２の立ち上げミラー１３を透過したＢＤ規格のレーザー光を紙面＋Ｙ方向に反射させる。
【００２８】
次に、第２の対物レンズ１５は、第２の立ち上げミラー１３により反射されたＤＶＤ規格及びＣＤ規格のレーザー光を光ディスク１７の情報記録層に集光させる。同様に、第１の対物レンズ１６は、第１の立ち上げミラー１４により反射されたＢＤ規格のレーザー光を光ディスク１７の情報記録層に集光させる。
【００２９】
次に、非点収差発生素子１８、例えば、アナモフィックレンズは、第１の光路合成プリズム５とＰＤＩＣ１９との間に配置され、光ディスク１７により反射された３種類のレーザー光（戻り光）が通過する。そして、非点収差発生素子１８は、通過するレーザー光にフォーカスサーボ用の非点収差を付与し、波長の異なる３種類のレーザー光を１つのＰＤＩＣ１９にて対処可能とする。
【００３０】
最後に、ＰＤＩＣ１９は、光検出器として機能し、信号検出用のフォトダイオード集積回路素子が内蔵され、ＢＤ規格、ＤＶＤ規格またはＣＤ規格のレーザー光を同一平面上の同一の受光領域にて受光し、光電変換によって情報信号成分を含む検出信号を出力する。更に、ＰＤＩＣ１９は、フォーカスサーボおよびトラッキングサーボに用いられるサーボ信号成分を含む検出信号を出力する。
【００３１】
次に、ＤＶＤ規格及びＣＤ規格のレーザー光の光路２０を説明する。
【００３２】
先ず、第２の半導体レーザー装置３から出射されたレーザー光は、第２の回折格子６にてＳ方向の直線偏光に変換され、ダイバージェントレンズ７により所定の広がり角へと調整された後、第２の光路合成プリズム８へと入射する。そして、レーザー光は、第２の光路合成プリズム８の偏光面にて所望の光量だけ反射し、第１の反射ミラー１０にて全反射する。
【００３３】
その後、レーザー光は、第２の反射ミラー１１にて全反射され、１／４波長板１２を通過することにより、Ｓ方向の直線偏光から円偏光に変換される。そして、円偏光のレーザー光は、第２の立ち上げミラー１３にて反射した後、第２の対物レンズ１５により光ディスク１７の情報記録層に集光される。尚、この光路が、ＤＶＤ規格及びＣＤ規格のレーザー光の往路２０Ａとなる。
【００３４】
次に、光ディスク１７の情報記録層により反射されるレーザー光（戻り光）は、第２の対物レンズ１５を透過し、第２の立ち上げミラー１３にて反射した後、１／４波長板１２を透過することで、円偏光からＰ方向の直線偏光のレーザー光へと変換される。そして、レーザー光は、第１及び第２の反射ミラー１０、１１で反射された後に、順次、コリメートレンズ９、第２、第１の光路合成プリズム８、５を透過する。その後、レーザー光は、非点収差発生素子１８にて収差が付与され、ＰＤＩＣ１９に入射し、ＰＤＩＣ１９の受光領域にて受光され、光電変換によって検出信号へと変換される。尚、この光路が、ＤＶＤ規格及びＣＤ規格のレーザー光の復路２０Ｂとなり、ＤＶＤ規格及びＣＤ規格のレーザー光の反射率は、第２の光路合成プリズム８と第１の反射ミラー１０とにより調整され、ＰＤＩＣ１９へと入射するＤＶＤ規格及びＣＤ規格のレーザー光の受光量が調整される。
【００３５】
次に、ＢＤ規格のレーザー光の光路２１を説明する。
【００３６】
先ず、第１の半導体レーザー装置２から出射されたレーザー光は、第１の回折格子４にてＳ方向の直線偏光に変換され、第１の光路合成プリズム５へと入射する。そして、レーザー光は、第１の光路合成プリズム５の偏光面にて全反射した後、第２の光路合成プリズム８を全透過する。その後、レーザー光は、第１及び第２の反射ミラー１０、１１にて全反射され、１／４波長板１２を通過することにより、Ｓ方向の直線偏光から円偏光に変換される。そして、円偏光のレーザー光は、第２の立ち上げミラー１３を透過し、第１の立ち上げミラー１４にて反射した後、第１の対物レンズ１６により光ディスク１７の情報記録層に集光される。尚、この光路が、ＢＤ規格のレーザー光の往路２１Ａとなる。
【００３７】
次に、光ディスク１７の情報記録層により反射されるレーザー光（戻り光）は、第１の対物レンズ１６を透過し、第１の立ち上げミラー１４にて反射し、第２の立ち上げミラー１３、１／４波長板１２を透過することで、円偏光からＰ方向の直線偏光のレーザー光へと変換される。そして、レーザー光は、第１及び第２の反射ミラー１０、１１にて全反射された後に、順次、コリメートレンズ９、第２、第１の光路合成プリズム８、５を透過する。その後、レーザー光は、非点収差発生素子１８にて収差が付与され、ＰＤＩＣ１９に入射し、ＰＤＩＣ１９の受光領域にて受光され、光電変換によって検出信号が出力される。尚、この光路が、ＢＤ規格のレーザー光の復路２１Ｂとなる。
【００３８】
前述したように、光ピックアップ装置１では、ＤＶＤ規格及びＣＤ規格のレーザー光の光路２０とＢＤ規格のレーザー光の光路２１とは、その大部分にて共通する。そして、その光路２０、２１上に配置されるコリメートレンズ９、反射ミラー１０、１１、１／４波長板１２、ＰＤＩＣ１９は、両光路２０、２１の共通部品として用いられる。その結果、光ピックアップ装置１内に配置される光学系部品の数が減少し、その取り付け作業が容易となり、また、光軸調整等に要する時間も低減される。更に、ＤＶＤ規格及びＣＤ規格のレーザー光の光路２０とＢＤ規格のレーザー光の光路２１との共通化により、光ピックアップ装置１の縮小化が実現される。
【００３９】
図２（Ａ）に示す如く、ＤＶＤ規格及びＣＤ規格のレーザー光の光路２０とＢＤ規格のレーザー光の光路２１との共通化により、ＢＤ規格のレーザー光の光路２１上に第２の光路合成プリズム８が配置される。そして、ＢＤ規格のレーザー光は、往路２１Ａ及び復路２１Ｂにおいても、第２の光路合成プリズム８の偏光面を透過する。そのため、第２の光路合成プリズム８に用いられる反射膜の特性は、ＤＶＤ規格及びＣＤ規格のレーザー光に対する所望の反射率及び透過率だけでなく、ＢＤ規格のレーザー光が全透過するように決められる。
【００４０】
一方、特に、ＤＶＤ規格及びＣＤ規格のレーザー光は、光ディスク１７での影響を受け易く、粗悪品の光ディスク１７の複屈折により、復路２０ＢではＰ方向の直線偏光のレーザー光とならず、Ｓ方向の直線偏光のレーザー光となる場合もある。そして、光ディスク１７から反射したレーザー光が、Ｓ方向の直線偏光のレーザー光となった場合でも、ＰＤＩＣ１９にて受光し、検出信号が出力される必要がある。
【００４１】
そこで、図２（Ｂ）に示す如く、第１、第２の光路合成プリズム５、８及び第１の反射ミラー１０には、それぞれ波長選択性および偏光選択性を有する反射膜が形成される。具体的には、第１の光路合成プリズム５では、ＤＶＤ規格及びＣＤ規格のレーザー光は全透過となり、ＢＤ規格のレーザー光のＳ方向の直線偏光は全反射し、Ｐ方向の直線偏光は全透過する反射膜が形成される。
【００４２】
また、第２の光路合成プリズム８では、ＢＤ規格のレーザー光は全透過となり、ＤＶＤ規格及びＣＤ規格のレーザー光のＳ方向の直線偏光は９０％反射し、Ｐ方向の直線偏光は６０％透過する反射膜が形成される。ここで、前述したように、復路２０Ｂにおいて、光ディスク１７が粗悪品であり、Ｓ方向の直線偏光のレーザー光が戻ってきた場合、１０％のＤＶＤ規格及びＣＤ規格のレーザー光が第２の光路合成プリズム８を透過することとなり、Ｐ方向の直線偏光の場合の透過する光量との間に大きな差異が発生するという問題が起こる。
【００４３】
そこで、第１の反射ミラー１０では、ＢＤ規格のレーザー光は全反射となり、ＤＶＤ規格及びＣＤ規格のレーザー光は、Ｓ方向の直線偏光は１００％反射し、Ｐ方向の直線偏光は３０％反射する反射膜が形成される。そして、復路２０Ｂにおいて、Ｐ方向の直線偏光のＤＶＤ規格及びＣＤ規格のレーザー光が戻ってきた場合、第１の反射ミラー１０により３０％のレーザー光が反射し、第２の光路合成プリズム８では６０％のレーザー光が透過することで、１８％のＰ方向の直線偏光が、第２の光路合成プリズム８を透過することとなる。その結果、ＤＶＤ規格及びＣＤ規格のレーザー光では、その復路２０Ｂにおいて、Ｐ方向の直線偏光の透過率（１８％）とＳ方向の直線偏光の透過率（１０％）とが近似する。そして、ＰＤＩＣ１９では、Ｐ方向の直線偏光のレーザー光を受光する場合、あるいは、Ｓ方向の直線偏光のレーザー光を受光する場合でも、その受光量に大きな差異はなく、光検出器として正確な検出信号を出力することが出来る。
【００４４】
更に、第１の光路合成プリズム５が、第２の光路合成プリズム８よりもＰＤＩＣ側１９に配置されることで、ＢＤ規格のレーザー光の光路長の方が、ＤＶＤ規格及びＣＤ規格のレーザー光の光路長よりも長くなる。例えば、第１、第２の光路合成プリズム５、８が、一体に形成される場合には、一体のプリズムの長手方向が、点線にて示す光路２０、２１に沿って配置されることで、前述した光路長の関係が実現される。ＢＤ規格のレーザー光は、ＤＶＤ規格及びＣＤ規格のレーザー光と比較してその波長も短く、ＢＤ規格の光ディスク構造もＤＶＤ規格及びＣＤ規格の光ディスク構造と異なる。そのため、ＢＤ規格のレーザー光は、ＤＶＤ規格及びＣＤ規格のレーザー光と比較して収差の影響も受け易く、矢印２２にて示すように、コリメートレンズ９が、点線にて示す光路（光軸）に対して平行方向（紙面±Ｘ方向）に移動する距離を確保することが重要となる。つまり、第１、第２の光路合成プリズム５、８配置を利用し、ＢＤ規格のレーザー光の光路長を確保することで、装置サイズの縮小化を実現しつつ、３波長対応の光ピックアップ装置が実現される。
【００４５】
尚、本実施の形態では、レーザー光の入射角度、反射膜の膜質、材料、厚み等の設計条件が考慮され、第２の光路合成プリズム８と第１の反射ミラー１０に形成される反射膜により、ＤＶＤ規格及びＣＤ規格のレーザー光の反射率を調整し、ＰＤＩＣ１９へと導かれるその光量を調整する場合について説明したが、この場合に限定するものではない。例えば、第２の光路合成プリズム８の偏光面に形成される反射膜のみによりＤＶＤ規格及びＣＤ規格のレーザー光の反射率を調整し、ＤＶＤ規格及びＣＤ規格のレーザー光のＰ方向の直線偏光の透過率と、Ｓ方向の直線偏光の透過率とを近似させ、ＰＤＩＣ１９での受光量が調整される場合でも良い。また、図２（Ｂ）に示す反射膜特性もレーザー光の入射角度、反射膜の膜質、材料、厚み等の設計条件により、その数値は任意に変更可能である。
【００４６】
また、図２（Ａ）に示すように、第１、第２の光路合成プリズム５、８が、一体に形成される場合について説明するが、この場合に限定するものではない。例えば、第１、第２の光路合成プリズム５、８が、個別の部品の場合でも良い。また、第１、第２の光路合成プリズム５、８の換わりに、前述した反射膜が形成された反射ミラーが用いられる場合でも良い。
【００４７】
また、反射ミラー１０にＤＶＤ規格及びＣＤ規格のレーザー光の一部が透過する反射膜が形成されることで、そのレーザー光の反射率や透過率が調整される場合について説明したが、この場合に限定するものではない。例えば、反射ミラー１０に入射したＤＶＤ規格及びＣＤ規格のレーザー光の一部が、反射ミラー１０から漏れる構造により、そのレーザー光の一部が、少なくとも光路上から外れ、前述したレーザー光の反射率や透過率の調整が成されれば良い。その他、本発明の要旨を逸脱しない範囲で、種々の変更が可能である。
【符号の説明】
【００４８】
１  光ピックアップ装置
２  第１の半導体レーザー装置
３  第２の半導体レーザー装置
５  第１の光路合成プリズム
８  第２の光路合成プリズム
９  コリメートレンズ
１０  第１の反射ミラー
１２  １／４波長板
１４  第１の立ち上げミラー
１６  第１の対物レンズ
１７  光情報記録媒体
１９  ＰＤＩＣ
２０、２１  光路
【図１】
2012064260.tif 000003
【図２】
2012064260.tif 000004
【図３】
2012064260.tif 000005